(57)【特許請求の範囲】
【請求項１】
ＥＰＡ含有グリセリドおよびＤＨＡグリセリドを含有する原料油脂を、リパーゼを用いて処理して、低級アルコールＥＰＡエステル化物および低級アルコールＤＨＡエステル化物を含む低級アルコール脂肪酸エステル化物含有組成物を得る工程を含み、
前記原料油脂の酸価が０以上２．５以下であり、
前記処理の反応液中における水分含量が０．４質量％以上であり、
前記反応液の酸価が２以上１２以下であり、
前記低級アルコール脂肪酸エステル化物含有組成物は、低級アルコール脂肪酸エステル化物を４０質量％以上９０質量％以下含み、
前記低級アルコール脂肪酸エステル化物における、前記低級アルコールＤＨＡエステル化物に対する前記低級アルコールＥＰＡエステル化物のモル比率（低級アルコールＥＰＡエステル化物／低級アルコールＤＨＡエステル化物）が３．０以上３０以下である、低級アルコール脂肪酸エステル化物含有組成物の製造方法。
【請求項２】
請求項１において、
前記処理の反応液は、前記原料油脂９．５質量部に対して０．１質量部以上２．５質量部以下の低級アルコールをさらに含む、低級アルコール脂肪酸エステル化物含有組成物の製造方法。
【請求項３】
請求項２において、
前記処理において、前記処理の反応液に前記低級アルコールを連続的にまたは段階的に添加する、低級アルコール脂肪酸エステル化物含有組成物の製造方法。
【請求項４】
請求項１ないし３のいずれか１項において、
前記処理において、前記リパーゼが固定化された固定化酵素を用いる、低級アルコール脂肪酸エステル化物含有組成物の製造方法。
【請求項５】
請求項１ないし４のいずれか１項において、
前記処理において、前記固定化酵素は粒子状である、低級アルコール脂肪酸エステル化物含有組成物の製造方法。
【請求項６】
請求項１ないし５のいずれか１項において、
前記リパーゼが１，３位特異リパーゼである、低級アルコール脂肪酸エステル化物含有組成物の製造方法。
【請求項７】
請求項１ないし６のいずれか１項において、
前記低級アルコール脂肪酸エステル化物含有組成物を蒸留して、前記低級アルコールＥＰＡエステル化物および前記低級アルコールＤＨＡエステル化物を含む低級アルコール脂肪酸エステル化物の混合物と、該混合物以外の成分とを分離する工程をさらに含む、低級アルコール脂肪酸エステル化物含有組成物の製造方法。
【請求項８】
請求項７において、
前記混合物のＦＴ−ＩＲスペクトル解析において、１７３６ｃｍ−１付近に現れるピークの強度に対する、９６６ｃｍ−１付近に現れるピークの強度の比が０．０７５以下である、低級アルコール脂肪酸エステル化物含有組成物の製造方法。
【請求項９】
請求項７または８において、
前記混合物は、低級アルコール脂肪酸エステル化物を９０質量％以上含み、
前記低級アルコール脂肪酸エステル化物は、低級アルコールＥＰＡエステル化物および低級アルコールＤＨＡエステル化物を以下のモル比率で含む、低級アルコール脂肪酸エステル化物含有組成物の製造方法。
３．０≦（低級アルコールＥＰＡエステル化物／低級アルコールＤＨＡエステル化物）≦３０
【請求項１０】
請求項７ないし９のいずれか１項において、
前記混合物を銀塩の水溶液と接触させる工程を含む、低級アルコール脂肪酸エステル化物含有組成物の製造方法。
【請求項１１】
請求項１０において、
前記銀塩の水溶液と接触させた後の前記混合物を蒸留して、前記低級アルコールＥＰＡエステル化物以外の低級アルコール脂肪酸エステル化物を分離することにより、前記低級アルコールＥＰＡエステル化物を得る工程をさらに含む、低級アルコール脂肪酸エステル化物含有組成物の製造方法。
【請求項１２】
請求項７ないし１１のいずれか１項において、
前記混合物を蒸留して、前記低級アルコールＥＰＡエステル化物以外の低級アルコール脂肪酸エステル化物を分離することにより、前記低級アルコールＥＰＡエステル化物を得る工程をさらに含む、低級アルコール脂肪酸エステル化物含有組成物の製造方法。
【請求項１３】
低級アルコール脂肪酸エステル化物を４０質量％以上９０質量％以下含み、
酸価が２以上１２以下であり、
前記低級アルコール脂肪酸エステル化物は、低級アルコールＥＰＡエステル化物および低級アルコールＤＨＡエステル化物を以下のモル比率で含む、低級アルコール脂肪酸エステル化物含有組成物。
３．０≦（低級アルコールＥＰＡエステル化物／低級アルコールＤＨＡエステル化物）≦３０
【請求項１４】
請求項１３において、
ＦＴ−ＩＲスペクトル解析において、１７３６ｃｍ−１付近に現れるピークの強度に対する、９６６ｃｍ−１付近に現れるピークの強度の比が０．１５以下である、低級アルコール脂肪酸エステル化物含有組成物。
【請求項１５】
低級アルコール脂肪酸エステル化物を９０質量％以上含み、
酸価が２以上１２以下であり、
前記低級アルコール脂肪酸エステル化物は、低級アルコールＥＰＡエステル化物および低級アルコールＤＨＡエステル化物を以下のモル比率で含む、低級アルコール脂肪酸エステル化物含有組成物。
３．０≦（低級アルコールＥＰＡエステル化物／低級アルコールＤＨＡエステル化物）≦３０
【請求項１６】
請求項１５において、
ＦＴ−ＩＲスペクトル解析において、１７３６ｃｍ−１付近に現れるピークの強度に対する、９６６ｃｍ−１付近に現れるピークの強度の比が０．０７５以下である、低級アルコール脂肪酸エステル化物含有組成物。
【請求項１７】
請求項１３ないし１６のいずれか１項において、
酸価が２以上５未満である、低級アルコール脂肪酸エステル化物含有組成物。
【請求項１８】
請求項１３または１４に記載の低級アルコール脂肪酸エステル化物含有組成物を蒸留して、請求項１５または１６に記載の低級アルコール脂肪酸エステル化物含有組成物と、前記組成物以外の成分とを分離する工程を含む、低級アルコール脂肪酸エステル化物含有組成物の製造方法。
【請求項１９】
請求項１５又は１６に記載の低級アルコール脂肪酸エステル化物含有物を銀塩の水溶液で接触させる工程を含む、低級アルコール脂肪酸エステル化物含有組成物の製造方法。
【請求項２０】
請求項１５ないし１７のいずれか１項に記載の低級アルコール脂肪酸エステル化物含有組成物を蒸留して、前記低級アルコールＥＰＡエステル化物以外の低級アルコール脂肪酸エステル化物を分離することにより、前記低級アルコールＥＰＡエステル化物を得る工程を含む、
低級アルコール脂肪酸エステル化物含有組成物の製造方法。
【請求項２１】
請求項１に記載の低級アルコール脂肪酸エステル化物含有組成物の製造方法を経て得られる低級アルコールＥＰＡエステル化物を９６．５質量％以上含み、かつ、ＦＴ−ＩＲスペクトル解析において、１７３６ｃｍ−１付近に現れるピークの強度に対する、９６６ｃｍ−１付近に現れるピークの強度の比が０．０８５以下である、低級アルコール脂肪酸エステル化物含有組成物。
【請求項２２】
請求項７ないし１２および１８ないし２０のいずれか１項に記載の製造方法により得られた低級アルコール脂肪酸エステル化物含有組成物、及び請求項１３ないし１７および２１に記載の低級アルコール脂肪酸エステル化物含有組成物から選ばれる少なくとも１種を使用して食品組成物を得る工程を含む、食品組成物の製造方法。
【請求項２３】
請求項７ないし１２および１８ないし２０のいずれか１項に記載の製造方法により得られた低級アルコール脂肪酸エステル化物含有組成物、及び請求項１３ないし１７および２１に記載の低級アルコール脂肪酸エステル化物含有組成物から選ばれる少なくとも１種を使用してカプセル剤を得る工程を含む、カプセル剤の製造方法。
【請求項２４】
ＥＰＡ含有グリセリドを含有する原料油脂を、リパーゼを用いて処理して、低級アルコールＥＰＡエステル化物を含む低級アルコール脂肪酸エステル化物含有組成物を得る処理において、
前記原料油脂の酸価が０以上２．５以下であり、
前記リパーゼが固定化された固定化酵素であり、
前記処理の反応液中における水分含量が０．４質量％以上であり、
前記反応液の酸価が２以上１２以下であり、
前記低級アルコール脂肪酸エステル化物含有組成物は、低級アルコール脂肪酸エステル化物を４０質量％以上９０質量％以下含み、
前記低級アルコール脂肪酸エステル化物における、前記低級アルコールＤＨＡエステル化物に対する前記低級アルコールＥＰＡエステル化物のモル比率（低級アルコールＥＰＡエステル化物／低級アルコールＤＨＡエステル化物）が３．０以上３０以下であり、
前記処理後の固定化酵素を繰り返し使用する方法。
【発明の詳細な説明】
【技術分野】
【０００１】
本発明は、低級アルコール脂肪酸エステル化物含有組成物の製造方法および低級アルコール脂肪酸エステル化物含有組成物に関する。
【背景技術】
【０００２】
多価不飽和脂肪酸およびその誘導体は、血中脂肪の低減等の多くの生理活性を有し、古くから医薬品、化粧品、食品等の原料として使用されてきた。そこで、高純度かつ良好な品位の多価不飽和脂肪酸およびその誘導体の精製方法が検討されている。【０００３】
例えば、特許文献１（特開昭５９−１１３０９９号公報）には、脂肪酸グリセリドを含む油脂を、アルカリ性条件下で処理して、低級アルコール脂肪酸エステル化物を得る方法が記載されている。【０００４】
しかしながら、油脂をアルカリ性条件下で処理した場合、低級アルコール脂肪酸エステル化物の不飽和結合が異性化された異性化物が生じることがある。この異性化物は、異性化していない低級アルコール脂肪酸エステル化物との分離が困難である場合が多い。このため、異性化物の含有量が少ない低級アルコール脂肪酸エステル化物を効率良く得る方法が求められている。
【先行技術文献】
【特許文献】
【０００５】
【特許文献１】特開昭５９−１１３０９９号公報
【発明の概要】
【発明が解決しようとする課題】
【０００６】
本発明は、簡便な方法にて、純度が高い低級アルコール脂肪酸エステル化物含有組成物を効率良く得ることができる低級アルコール脂肪酸エステル化物含有組成物の製造方法および低級アルコール脂肪酸エステル化物含有組成物を提供する。
【課題を解決するための手段】
【０００７】
本願発明者は、ＥＰＡ含有グリセリドを含有する原料油脂を、リパーゼを用いて処理することで、低級アルコールＥＰＡエステル化物を選択的に得る方法により、アルカリ性条件下での処理を経ずに、純度の高い低級アルコールＥＰＡエステル化物が得られることを見出し、本発明を完成するに至った。より具体的には、本発明に係る低級アルコール脂肪酸エステル化物含有組成物の製造方法によれば、アルカリ性条件下での処理を経ずに、異性化物が少ない、純度の高い低級アルコールＥＰＡエステル化物を得ることができる。【０００８】
１．本発明の一態様に係る低級アルコール脂肪酸エステル化物含有組成物の製造方法は、ＥＰＡ含有グリセリドを含有する原料油脂を、リパーゼを用いて処理して、低級アルコールＥＰＡエステル化物を含む低級アルコール脂肪酸エステル化物含有組成物を得る工程を含み、前記処理の反応液中における水分含量が０．４質量％以上である。【０００９】
２．上記１に記載の低級アルコール脂肪酸エステル化物含有組成物の製造方法において、前記処理の反応液は、前記原料油脂９．５質量部に対して０．１質量部以上２．５質量部以下の低級アルコールをさらに含むことができる。【００１０】
３．上記２に記載の低級アルコール脂肪酸エステル化物含有組成物の製造方法において、前記処理において、前記処理の反応液に前記低級アルコールを連続的にまたは段階的に添加することができる。【００１１】
４．上記１ないし３のいずれかに記載の低級アルコール脂肪酸エステル化物含有組成物の製造方法では、前記処理において、前記リパーゼが固定化された固定化酵素を用いることができる。【００１２】
５．上記１ないし４のいずれかに記載の低級アルコール脂肪酸エステル化物含有組成物の製造方法では、前記処理において、前記固定化酵素は粒子状であることができる。【００１３】
６．上記１ないし５のいずれかに記載の低級アルコール脂肪酸エステル化物含有組成物の製造方法において、前記リパーゼが１，３位特異リパーゼであることができる。【００１４】
７．上記１ないし６のいずれかに記載の低級アルコール脂肪酸エステル化物含有組成物の製造方法において、前記反応液の酸価が２以上であることができる。【００１５】
８．上記１ないし７のいずれかに記載の低級アルコール脂肪酸エステル化物含有組成物の製造方法において、前記原料油脂は、ＤＨＡ含有グリセリドをさらに含み、前記低級アルコール脂肪酸エステル化物含有組成物は、低級アルコールＤＨＡエステル化物をさらに含み、前記低級アルコール脂肪酸エステル化物含有組成物に含まれる低級アルコール脂肪酸エステル化物における、前記低級アルコールＤＨＡエステル化物に対する前記低級アルコールＥＰＡエステル化物のモル比率Ａ（低級アルコールＥＰＡエステル化物／低級アルコールＤＨＡエステル化物）は、前記原料油脂に含まれる脂肪酸グリセリドを構成する脂肪酸における、ＤＨＡに対するＥＰＡのモル比率Ｂ（ＥＰＡ／ＤＨＡ）より多いことができる。【００１６】
９．上記８に記載の低級アルコール脂肪酸エステル化物含有組成物の製造方法において、前記モル比率Ａおよび前記モル比率Ｂが以下の式（１）で示される関係を有することができる。
１．５≦Ａ／Ｂ  ・・・・・（１）【００１７】
１０．上記８または９に記載の低級アルコール脂肪酸エステル化物含有組成物の製造方法において、前記低級アルコール脂肪酸エステル化物含有組成物は、低級アルコール脂肪酸エステル化物を４０質量％以上９０質量％以下含み、前記低級アルコール脂肪酸エステル化物における、前記低級アルコールＤＨＡエステル化物に対する前記低級アルコールＥＰＡエステル化物のモル比率（低級アルコールＥＰＡエステル化物／低級アルコールＤＨＡエステル化物）が３．０以上３０以下であることができる。【００１８】
１１．上記７ないし１０のいずれかに記載の低級アルコール脂肪酸エステル化物含有組成物の製造方法において、前記低級アルコール脂肪酸エステル化物含有組成物は、低級アルコールＤＨＡエステル化物をさらに含み、前記低級アルコール脂肪酸エステル化物含有組成物を蒸留して、前記低級アルコールＥＰＡエステル化物および前記低級アルコールＤＨＡエステル化物の混合物と、該混合物以外の成分とを分離する工程をさらに含むことができる。【００１９】
１２．上記１１に記載の低級アルコール脂肪酸エステル化物含有組成物の製造方法において、前記混合物のＦＴ−ＩＲスペクトル解析において、１７３６ｃｍ−１付近に現れるピークの強度に対する、９６６ｃｍ−１付近に現れるピークの強度の比が０．０７５以下であることができる。【００２０】
１３．上記１１または１２に記載の低級アルコール脂肪酸エステル化物含有組成物の製造方法において、前記混合物は、低級アルコール脂肪酸エステル化物を９０質量％以上含み、前記低級アルコール脂肪酸エステル化物は、低級アルコールＥＰＡエステル化物および低級アルコールＤＨＡエステル化物を以下のモル比率で含むことができる。
３．０≦（低級アルコールＥＰＡエステル化物／低級アルコールＤＨＡエステル化物）≦３０【００２１】
１４．上記１１ないし１３のいずれかの低級アルコール脂肪酸エステル化物含有組成物の製造方法において、前記混合物を銀塩の水溶液と接触させる工程をさらに含むことができる。【００２２】
１５．上記１４に記載の低級アルコール脂肪酸エステル化物含有組成物の製造方法において、前記銀塩の水溶液と接触させた後の前記混合物を蒸留して、前記低級アルコールＥＰＡエステル化物以外の低級アルコール脂肪酸エステル化物を分離することにより、前記低級アルコールＥＰＡエステル化物を得る工程をさらに含むことができる。【００２３】
１６．上記１１ないし１３のいずれかに記載の低級アルコール脂肪酸エステル化物含有組成物の製造方法において、前記混合物を蒸留して、前記低級アルコールＥＰＡエステル化物以外の低級アルコール脂肪酸エステル化物を分離することにより、前記低級アルコールＥＰＡエステル化物を得る工程をさらに含むことができる。【００２４】
１７．本発明の一態様に係る低級アルコール脂肪酸エステル化物含有組成物は、低級アルコール脂肪酸エステル化物を４０質量％以上９０質量％以下含み、
前記低級アルコール脂肪酸エステル化物は、低級アルコールＥＰＡエステル化物および低級アルコールＤＨＡエステル化物を以下のモル比率で含む。
３．０≦（低級アルコールＥＰＡエステル化物／低級アルコールＤＨＡエステル化物）≦３０【００２５】
１８．上記１７に記載の低級アルコール脂肪酸エステル化物含有組成物において、ＦＴ−ＩＲスペクトル解析において、１７３６ｃｍ−１付近に現れるピークの強度に対する、９６６ｃｍ−１付近に現れるピークの強度の比が０．１５以下であることができる。【００２６】
１９．本発明の一態様に係る低級アルコール脂肪酸エステル化物含有組成物は、低級アルコール脂肪酸エステル化物を９０質量％以上含み、前記低級アルコール脂肪酸エステル化物は、低級アルコールＥＰＡエステル化物および低級アルコールＤＨＡエステル化物を以下のモル比率で含む。
３．０≦（低級アルコールＥＰＡエステル化物／低級アルコールＤＨＡエステル化物）≦３０【００２７】
２０．上記１９に記載の低級アルコール脂肪酸エステル化物含有組成物において、ＦＴ−ＩＲスペクトル解析において、１７３６ｃｍ−１付近に現れるピークの強度に対する、９６６ｃｍ−１付近に現れるピークの強度の比が０．０７５以下であることができる。【００２８】
２１．上記１７ないし２０のいずれかに記載の低級アルコール脂肪酸エステル化物含有組成物において、酸価が５未満であることができる。【００２９】
２２．本発明の一態様に係る低級アルコール脂肪酸エステル化物含有組成物の製造方法は、上記１７に記載の低級アルコール脂肪酸エステル化物含有組成物を蒸留して、上記２０に記載の低級アルコール脂肪酸エステル化物含有組成物と、前記組成物以外の成分とを分離する工程を含む。【００３０】
２３．本発明の一態様に係る低級アルコール脂肪酸エステル化物含有組成物の製造方法は、上記１９又は２０に記載の低級アルコール脂肪酸エステル化物含有物を銀塩の水溶液で接触させる工程を含む。【００３１】
２４．本発明の一態様に係る低級アルコール脂肪酸エステル化物含有組成物の製造方法は、上記１９ないし２１のいずれかに記載の低級アルコール脂肪酸エステル化物含有組成物を蒸留して、前記低級アルコールＥＰＡエステル化物以外の低級アルコール脂肪酸エステル化物を分離することにより、低級アルコールＥＰＡエステル化物を得る工程を含む。【００３２】
２５．本発明の一態様に係る低級アルコール脂肪酸エステル化物含有組成物は、低級アルコールＥＰＡエステル化物を９６．５質量％以上含み、かつ、ＦＴ−ＩＲスペクトル解析において、１７３６ｃｍ−１付近に現れるピークの強度に対する、９６６ｃｍ−１付近に現れるピークの強度の比が０．０８５以下である。【００３３】
２６．本発明の一態様に係る食品組成物の製造方法は、上記１１ないし１６および２２ないし２４のいずれかに記載の製造方法により得られた低級アルコール脂肪酸エステル化物含有組成物及び上記２５に記載の低級アルコール脂肪酸エステル化物含有組成物から選ばれる少なくとも１種を使用して食品組成物を得る工程を含む。【００３４】
２７．本発明の一態様に係るカプセル剤の製造方法は、上記１１ないし１６および２２ないし２４のいずれか１項に記載の製造方法により得られた低級アルコール脂肪酸エステル化物含有組成物及び上記２５に記載の低級アルコール脂肪酸エステル化物含有組成物から選ばれる少なくとも１種を使用してカプセル剤を得る工程を含む。
【発明の効果】
【００３５】
上記低級アルコール脂肪酸エステル化物含有組成物の製造方法によれば、ＥＰＡ含有グリセリドを含有する原料油脂を、リパーゼを用いて処理して、低級アルコールＥＰＡエステル化物を含む低級アルコール脂肪酸エステル化物含有組成物を得る工程を含み、前記処理の反応液中における水分含量が０．４質量％以上であることにより、純度が高い低級アルコールＥＰＡエステル化物を効率良く得ることができ、かつ、酵素（リパーゼ）の安定性を高めることができる。【００３６】
より具体的には、酵素の安定性が高められる結果、酵素の繰り返し使用が可能になるため、製造コストの低減および省資源化を図ることができる。また、アルカリ性条件下での処理を経ずに低級アルコールＥＰＡエステル化物が得られるため、異性化物の発生を低減することができる。さらに、前記リパーゼを用いた処理により、複数の脂肪酸グリセリドの中から、ＥＰＡ含有グリセリドを低級アルコールＥＰＡエステル化物へと選択的に変換させることができる。
【図面の簡単な説明】
【００３７】
【図１】図１は、本発明の一実施形態に係る低級アルコール脂肪酸エステル化物含有組成物の製造方法のフローチャートを示す。
【発明を実施するための形態】
【００３８】
以下、図面を参照しつつ、本発明を詳細に説明する。なお、本発明において、格別に断らない限り、「部」は「質量部」を意味し、「％」は「質量％」を意味する。ただし、グリセリドにおける各種構成脂肪酸の「比率」および「％」、ならびに低級アルコール脂肪酸エステル化物における各種脂肪酸エステル化物の「比率」および「％」は、それぞれ構成する脂肪酸の「モル比率」および「モル％」を意味する。
【００３９】
＜低級アルコール脂肪酸エステル化物含有組成物の製造方法＞
本発明の一実施形態に係る低級アルコール脂肪酸エステル化物含有組成物の製造方法（以下、単に「製造方法」ともいう。）は、ＥＰＡ（エイコサペンタエン酸、Ｃ２０：５）グリセリドを含有する原料油脂を、リパーゼを用いて処理して、低級アルコールＥＰＡエステル化物を含む低級アルコール脂肪酸エステル化物含有組成物（以下、「本実施形態に係る組成物」ともいう。）を得る工程を含み、前記処理の反応液中における水分含量が０．４質量％以上である。
【００４０】
＜低級アルコール：定義＞
本発明において、「低級アルコール」とは、炭素原子数が１、２または３のアルコール（メタノール、エタノール、ｎ−プロピルアルコール、イソプロピルアルコール）をいう。
【００４１】
＜低級アルコール脂肪酸エステル化物：定義＞
また、本発明において、「低級アルコール脂肪酸エステル化物」とは、脂肪酸を構成するカルボキシル基（−ＣＯ２Ｈ）が低級アルコールにてエステル化された化合物をいう。
【００４２】
＜低級アルコールＥＰＡエステル化物＞
また、本発明において、「低級アルコールＥＰＡエステル化物」とは、ＥＰＡ（エイコサペンタエン酸）を構成するカルボキシル基（−ＣＯ２Ｈ）が低級アルコールにてエステル化された化合物をいう。加えて、本発明において、「低級アルコールＤＨＡエステル化物」とは、ＤＨＡ（ドコサヘキサエン酸）を構成するカルボキシル基が低級アルコールにてエステル化された化合物をいう。
【００４３】
＜グリセリドの定義＞
また、本発明において、「グリセリド」とは、モノグリセリド、ジグリセリド、およびトリグリセリドを含むグリセリン脂肪酸エステルの概念である。
【００４４】
＜ＥＰＡ含有グリセリドの定義＞
さらに、本発明において「ＥＰＡ含有グリセリド」とは、モノグリセリド、ジグリセリド、およびトリグリセリドを含むグリセリン脂肪酸エステル化物を構成する脂肪酸残基の一部または全部がＥＰＡである化合物をいい、ＥＰＡモノグリセリド、ＥＰＡジグリセリドおよびＥＰＡトリグリセリドを含む概念である。本発明において「ＤＨＡ含有グリセリド」とは、モノグリセリド、ジグリセリド、およびトリグリセリドを含むグリセリン脂肪酸エステル化物を構成する脂肪酸残基の一部または全部がＤＨＡである化合物をいい、ＤＨＡモノグリセリド、ＤＨＡジグリセリドおよびＤＨＡトリグリセリドを含む概念である。
【００４５】
＜図１の説明＞
図１は、本実施形態に係る製造方法のフローチャートを示す。本実施形態に係る製造方法では、まず、ＥＰＡ含有グリセリドを含有する原料油脂を、リパーゼを用いて処理して（図１のステップＳ１）、低級アルコールＥＰＡエステル化物を含む本実施形態に係る組成物を得る。
【００４６】
＜酵素処理（リパーゼを用いた処理）＞
本実施形態に係る製造方法では、ＥＰＡ含有グリセリドを含む原料油脂を酵素（リパーゼ）で処理する。より具体的には、ＥＰＡ含有グリセリドを含む原料油脂をリパーゼ及び低級アルコールと接触させて、該ＥＰＡ含有グリセリドにリパーゼを作用させることにより、該ＥＰＡ含有グリセリドを選択的に低級アルコールＥＰＡエステル化物へと変換させる。
【００４７】
＜原料油脂＞
本実施形態に係る製造方法で使用する原料油脂は、ＥＰＡを構成脂肪酸として含むグリセリン脂肪酸エステル（ＥＰＡ含有グリセリド）を含む油脂であればよく、脂肪酸組成中のＥＰＡの含有量が１２質量％以上（通常、２０質量％以下）である油脂が好ましい。なお、原料油脂には、ＤＨＡ（Ｃ２２：６）等、ＥＰＡ以外の脂肪酸を構成脂肪酸として含有するグリセリドを含んでいてもよい。原料油脂が、ＤＨＡを構成脂肪酸として含有するグリセリドを含む場合、脂肪酸組成中のＤＨＡの含有量が１５質量％以下である油脂が好ましい。また、原料油脂に含まれる、ＥＰＡ以外の脂肪酸トリグリセリドは、多価不飽和脂肪酸のトリグリセリドであってもよい。多価不飽和脂肪酸とは、炭素数１６以上でかつ分子内に二重結合を２個以上有する不飽和脂肪酸をいい、上述のＥＰＡやＤＨＡのほか、アラキドン酸（Ｃ２０：４）、ドコサペンタエン酸（Ｃ２２：５）、ステアリドン酸（Ｃ１８：４）、リノレン酸（Ｃ１８：３）、リノール酸（Ｃ１８：２）が挙げられる。
【００４８】
＜油脂＞
「油脂」とは、通常、トリグリセリドを意味するが、本発明では、油脂は、ジグリセリド、モノグリセリド等、酵素（リパーゼ）が作用するその他のグリセリドも含んでいてもよい。
【００４９】
＜原料油脂＞
原料油脂としては、例えば、魚油、魚油以外の動物油、植物油、藻類、微生物が生産する油、これらの混合油脂、またはこれらの廃油が挙げられる。
【００５０】
魚油としては、イワシ油（ＥＰＡ８モル％以上２０モル％以下）、マグロ油（ＥＰＡ３モル％以上１０モル％以下）、カツオ油（ＥＰＡ５モル％以上１０モル％以下）、タラ肝油（ＥＰＡ５モル％以上１５モル％以下）、サケ油（ＥＰＡ５モル％以上１５モル％以下）、イカ油（ＥＰＡ１０モル％以上１８モル％以下）、メンヘーデン油(ＥＰＡ５モル％以上モル１５％以下)が挙げられる。
【００５１】
ここで、各魚油におけるＥＰＡの含有量は、該魚油においてグリセリドを構成する脂肪酸としてＥＰＡを含む割合をいう。植物油は通常ＥＰＡやＤＨＡを含有しないが、例えば、遺伝子組み換え技術によりＥＰＡやＤＨＡを含有する、大豆油、菜種油、パーム油、オリーブ油等を原料油脂として用いることができる。藻類、微生物由来油としては、Ｍｏｒｔｉｅｒｅｌｌａ  ａｌｐｉｎｅ、Ｅｕｇｌｅｎａ  ｇｒａｃｉｌｉｓ等によるアラキドン酸含有油、クロメ、アラメ、ワカメ、ヒジキ、ハバノリ、ヒバマタの一種によるＥＰＡ含有油、Ｃｒｙｐｔｈｅｃｏｄｉｎｉｕｍ  ｃｏｈｎｉｉ、Ｖｉｂｒｉｏ  ｍａｒｉｎｕｓ、Ｔｈｒａｕｓｔｏｃｈｙｔｒｉｕｍ  ａｕｒｅｕｍ、Ｓｈｅｗａｎｅｌｌａ属細菌等によるＤＨＡ含有油等、魚油以外の動物油としては、例えば、鯨油、羊脂、牛脂、豚脂、乳脂肪、卵黄油等が挙げられる。また、原料油脂の酸価は通常、０以上２．５以下であり、０以上２以下であることができる。
【００５２】
なお、原料油脂は水分を含むものであってもよい。また、本発明において、「廃油」とは、使用済みの魚油、植物性油脂、または動物性油脂であり、水分が含まれていてもよい。原料油脂がＥＰＡおよびＤＨＡの両方を含む場合、得られる低級アルコールＥＰＡエステル化物の割合をより高めることができる点で、原料油脂に含まれる脂肪酸グリセリドを構成する脂肪酸におけるＥＰＡとＤＨＡのモル比率は、ＥＰＡ／ＤＨＡ＝０．５以上６以下であることが好ましく、１以上３以下であることがより好ましい。
【００５３】
＜酵素＞
本実施形態に係る製造方法で使用する酵素の性状は、粗精製、部分精製、精製のいずれでもよい。また遊離型でもよいし、固定化されていてもよいが、再利用可能である点、酵素処理後の後処理が簡便である点で、前記リパーゼが固定化された固定化酵素であることが好ましい。
【００５４】
固定化酵素は、酵素を担体に固定化されたものであってもよい。前記酵素処理の反応液の水分含量が０．４質量％以上であることにより、酵素の安定性が高められる結果、酵素の繰り返し使用が可能になるため、リパーゼが固定化された固定化酵素を使用する場合、固定化酵素を反応液中から取り出して、必要に応じて水等で洗浄後、再度使用することができる。このため、再利用性、取扱性、および経済性に優れている。
【００５５】
＜担体＞
担体としては、イオン交換樹脂、多孔性樹脂、セラミックス、炭酸カルシウム、セライト、ガラスビーズ、活性炭等の有機担体、無機担体、有機無機複合担体が挙げられる。耐久性、リパーゼとの親和性などを考慮すると、担体は、イオン交換樹脂、多孔性樹脂、セラミックスからなることが好ましい。固定化の方法としては、包括法、架橋法、物理的吸着法、イオン吸着法、共有結合法、疎水結合法等が挙げられるが、結合強度が高い点で、包括法、架橋法、または共有結合法が好ましい。原料油脂との接触面積が大きく、かつ、原料油脂中で均一に分散できる点で、固定化酵素は粒子状であることが好ましい。あるいは、固定化酵素は、フィルムや膜に固定化したものであってもよい。
【００５６】
固定化酵素が粒子状である場合、粒子状の担体に酵素が固定化されているものであることができる。この場合、担体の粒子径が０．０１ｍｍ以上３ｍｍ以下であることが好ましく、０．０５ｍｍ以上１．５ｍｍ以下であることがより好ましい。また、原料油脂、低級アルコールおよび水との分散性に優れている点で比重は０．２以上２．５以下であることが好ましい。
【００５７】
＜リパーゼ＞
エステル交換を触媒する作用を有する点で、酵素は、例えば、リパーゼであることが好ましい。リパーゼは「リパーゼ（Ｅ．Ｃ．３．１．１．３）」と国際酵素分類を示すことで、科学的に特定される。
【００５８】
＜リパーゼの種類＞
本実施形態に製造方法で使用するリパーゼは、１，３位−特異的であっても、非特異的であってもよい。本実施形態に係る組成物において低級アルコールＥＰＡエステルのモル比率を高くすることができる点で、リパーゼは、１，３位特異リパーゼ、すなわち、トリアシルグリセロールの１，３位にのみ特異的作用する酵素または２位よりも１，３位に優先的に作用する酵素であることが好ましい。
【００５９】
＜リパーゼの具体例＞
リパーゼとしては、例えば、リゾムコール属（Ｒｈｉｚｏｍｕｃｏｒ  Ｍｉｅｈｅｉ）、ムコール属(Ｍｕｃｏｒ  ｍｉｅｈｅｉ，Ｍｕｃｏｒ  ｊａｖａ  ｎｉｃｕｓ)、アスペルギルス属(Ａｓｐｅｒｇｉｌｌｕｓ  ｏｒｙｚａｅ，Ａｓｐｅｒｇｉｌｌｕｓ  ｎｉｇｅｒ)、リゾプス属(Ｒｈｉｚｏｐｕｓ  ｓｐ.)、ペニシリウム属(Ｐｅｎｉｃｉｌｌｉｕｍ  ｒｏｑｕｅｆｏｒｔｉ，Ｐｅｎｉｃｉｌｌｉｕｍ  ｃａｍｅｍｂｅｒｔｉｉ)、サーモマイセス属(Ｔｈｅｒｍｏｍｙｃｅｓ  ｌａｎｕｇｉｎｏｓｅ)等に属する糸状菌、キャンディダ属（Ｃａｎｄｉｄａ  Ａｎｔａｒｃｔｉｃａ，Ｃａｎｄｉｄａ  Ｒｕｇｏｓａ，Ｃａｎｄｉｄａ  Ｃｙｌｉｎｄｒａｃｅａ）、ピヒア（Ｐｉｃｈｉａ）等に属する酵母、シュードモナス属(Ｐｓｅｕｄｏｍｏｎａｓ  ｓｐ.)、アクロモバクター属(Ａｃｒｏｍｏｂａｃｔｅｒ  ｓｐ.)、ブルクホルデリア属(Ｂｕｒｋｈｏｌｄｅｒｉａ  ｓｐ．)、アルカリゲネス属（Ａｌｃａｌｉｇｅｎｅｓ  ｓｐ．）、シュードザイマ属(Ｐｓｅｕｄｏｚｙｍａ  ｓｐ．)等に属する細菌、豚膵臓等の動物に由来するリパーゼが挙げられる。市販のリパーゼも用いられる。例えば、Ｒｈｉｚｏｐｕｓ  Ｄｅｌｅｍａｒのリパーゼ（タリパーゼ：田辺製薬社製）、Ｃａｎｄｉｄａ  Ｃｙｌｉｎｄａｃｅａ（リパーゼＯＦ：名糖産業社製）およびＰｓｅｎｄｏｍａｎｓ属のリパーゼ（リパーゼＰＳ、リパーゼＡＫ：天野製薬社製）が挙げられ、固定化酵素としては、Ｒｈｉｚｏｍｕｃｏｒ  Ｍｉｅｈｅｉのリパーゼ（リポザイムＩＭ６０：ノボノルディスク社製、リポザイムＲＭＩＭ：ノボノルディスク社製）、Ｃａｎｄｉｄａ  Ａｎｔａｒｃｔｉｃａのリパーゼ（ノボザイム４３５：ノボノルディスク社製）が挙げられる。
【００６０】
＜酵素の使用量＞
反応に使用する酵素の量は、反応温度や時間等により決定されるため特に規定されないが、遊離型の酵素の場合、一般的には反応液１g当たり１単位(Ｕ)以上１０，０００Ｕ、好ましくは５Ｕ以上１，０００Ｕ添加すればよく、適宜設定することができる。ここでの酵素活性の１Ｕとは、リパーゼの場合はオリーブ油の加水分解において１分間に１μｍｏｌの脂肪酸を遊離する酵素量である。固定化酵素を用いる場合は、反応液の質量に対して固定化した酵素が０．１質量％以上２００質量％以下、好ましくは１質量％以上２０質量％以下（担体の質量を含む質量）になるように添加すればよい。
【００６１】
＜反応条件＞
本実施形態に係る製造方法において、前記酵素処理の反応液は、原料油脂および酵素（固定化酵素を使用する場合は固定化酵素）を含む。前記酵素処理の反応液中における水分含量が０．４質量％以上であることにより、酵素の安定性が高められる結果、酵素の繰り返し使用が可能になり、かつ、酵素反応により生じるグリセリンを水中に誘導させることで、グリセリンが油中で固まるのを防止し、酵素反応を円滑に進行させることができる。前記酵素処理の反応液中における水分含量は、０．５質量％以上であることが好ましく、１質量％以上であることがより好ましく、２質量％以上であるのがさらに好ましく、また、８０質量％以下であることが好ましく、５０質量％以下であることがより好ましく、例えば０．４質量％以上１０質量％以下であることができる。
【００６２】
＜水分含量＞
前記酵素処理の反応液中における水分含量が０．４質量％未満であると、反応により生じるグリセリン等によって、酵素の触媒作用が阻害されることがあり、また、酵素の安定性が低下することがあり、一方、８０質量％を超えると、ＥＰＡ含有トリグリセリドと酵素との接触が少なくなり、低級アルコール脂肪酸エステル化物含有組成物中の、得られる低級アルコール脂肪酸エステル化物の含有量が少なくなることがある。なお、水は、反応液中に逐次的に添加してもよいし、連続して添加してもよいし、または一括して添加してもよい。
【００６３】
＜低級アルコール＞
脂肪酸をエステル化してエステル化物を得、かつ、水および油脂の双方と混和することにより酵素反応を円滑に進行させることができる観点から、前記酵素処理の反応液は、前記原料油脂９．５質量部に対して０．１質量部以上２．５質量部以下の低級アルコールをさらに含むことができる。
【００６４】
本実施形態に係る製造方法における原料油脂の酵素処理において、低級アルコール（炭素原子数１、２または３のアルコール）は、低級アルコールＥＰＡエステル化物のエステル部位として利用されることができる。
【００６５】
低級アルコールＥＰＡエステル化物の収率を高めることができる点で、前記酵素処理の反応液における前記低級アルコールの含有量は、前記原料油脂９．５質量部に対して０．１質量部以上（好ましくは、０．３質量部以上）であることが好ましい。一方、前記酵素処理の反応液における前記低級アルコールの含有量が増えると酵素が失活しやすくなることから、酵素活性を維持できる点で、前記酵素処理の反応液における前記低級アルコールの含有量は、前記原料油脂９．５質量部に対して２．５質量部以下（好ましくは、２質量部以下）であることが好ましい。
【００６６】
なお、前記低級アルコールは、前記酵素処理において、前記酵素処理の反応液に前記低級アルコールを連続的に添加してもよいし、段階的に添加してもよいし、または一括して添加してもよい。本発明において、「低級アルコールを連続的に添加する」とは、低級アルコールを継続して添加することをいい、「低級アルコールを段階的に添加する」とは、継続的ではないが、低級アルコールを複数回添加することをいう。
【００６７】
また、前記低級アルコールを反応液に段階的に添加する場合、１回に添加する前記低級アルコールの量は、前記原料油脂９．５質量部に対して０．１質量部以上であることが好ましく（０．３質量部以上であることがより好ましい）、一方、２．５質量部以下であることが好ましい（１質量部以下であることがより好ましい）。前記低級アルコールを反応液に段階的にまたは連続的に添加する場合、添加する前記低級アルコールの総量は、前記原料油脂９．５質量部に対して０．１質量部以上であることが好ましく（０．３質量部以上であることがより好ましい）、一方、２．５質量部以下であることが好ましい（２質量部以下であることがより好ましい）。
【００６８】
＜低級アルコールの具体例＞
低級アルコールとしては、水との混和性に優れている点で、メタノールおよび／またはエタノールであることが好ましく、エタノールであることがより好ましい。
【００６９】
＜反応温度および反応時間＞
酵素処理は、反応液の温度を、通常２５℃超８０℃以下（好ましくは２８℃以上、より好ましくは３０℃以上、一方、好ましくは５０℃以下、より好ましくは４５℃以下）にて行うことができる。酵素処理における反応液の温度は、用いる酵素の種類により決定すればよい。また、反応時間は、通常２時間以上４８時間以下、好ましくは４時間以上３６時間以下である。
【００７０】
＜酸価＞
前記酵素処理では、酵素の安定性をより高めることができる観点で、該酵素処理の反応液の酸価が２以上であることが好ましく、２．２以上１２以下であることがより好ましい。
【００７１】
本発明において、反応液の酸価は、以下の方法により測定及び算出された値である。前記酵素処理の反応液の酸価が２以上（好ましくは２．２以上１２以下）であることは、該反応液中の遊離脂肪酸の濃度が高いことを意味する。すなわち、該反応液中の遊離脂肪酸の濃度を高くすることにより、後述する＜反応経路＞の欄で説明するように、該反応液中で遊離脂肪酸とリパーゼとが結合する割合が高くなるため、リパーゼ（酵素）の安定性を高めることができる。なお、本発明において、「遊離脂肪酸」とは、脂肪酸エステル化物として存在していない脂肪酸（非エステル結合型脂肪酸）をいう。
【００７２】
＜酸価の測定方法＞
酸価の値は、公益社団法人日本油化学会制定の基準油脂分析試験法（日本油化学会規格試験法委員会編、基準油脂分析試験法（Ｓｔａｎｄａｒｄ  ｍｅｔｈｏｄｓ  ｆｏｒ  ｔｈｅ  ａｎａｌｙｓｉｓ  ｏｆ  ｆａｔｓ，ｏｉｌｓ  ａｎｄ  ｒｅｌａｔｅｄ  ｍａｔｅｒｉａｌｓ）：日本油化学会制定、２０１３年版、１．５  抽出油の酸価）により測定することができる。
【００７３】
具体的には、まず、試料（反応終了後の反応液）をその推定酸価に対応する採取量に準じて三角フラスコに正しく測り取り、エタノール／ジエチルエーテル＝１／１（ｗ／ｗ）の混合溶媒１００ｍＬを加え、試料を完全に溶解させた。次いで、０．１ｍｏｌ／Ｌのエタノール性水酸化カリウムで滴定し、指示薬として加えたフェノールフタレイン溶液の変色が３０秒間以上続いた点を終点とする。酸価は以下の式（３）により算出された。
酸価＝５．６１１×Ａ×Ｆ／Ｂ  ・・・・（３）
（式中、Ａは、０．１ｍｏｌ／Ｌのエタノール性水酸化カリウムの使用量（ｍＬ）であり、Ｂは、試料採取量（ｇ）であり、Ｆは、エタノール性水酸化カリウムのファクターである。）
【００７４】
＜反応経路＞
アルコールと脂肪酸エステル化物とのエステル交換反応は通常、水の含有量が少ない条件下（例えば、特許文献１の実施例に記載される、水分含量０．１％）でアルコールと脂肪酸エステル化物とを反応させる。その理由として、脂肪酸エステル化物のエステル結合が水によって加水分解されるのを防ぐためであることが挙げられる。
【００７５】
これに対して、本実施形態に係る製造方法では、ＥＰＡ含有グリセリドを含有する原料油脂を酵素処理（リパーゼを用いた処理）して、低級アルコールＥＰＡエステル化物を含む低級アルコール脂肪酸エステル化物含有組成物を得る工程において、前記酵素処理の反応液中における水分含量が０．４質量％以上であることにより、酵素安定性を高めることができる。
【００７６】
より具体的には、前記酵素処理の反応液中における水分含量が０．４質量％以上であることにより、反応液中に含まれる水分により、原料油脂が加水分解されて遊離脂肪酸が生成する結果、該反応液中の遊離脂肪酸の濃度が高くなる（該反応液の酸価が高くなる）ため、酵素安定性が高められる。
【００７７】
反応液中の遊離脂肪酸の濃度が高くなると（すなわち、該反応液の酸価が高くなると）、酵素安定性が高まるのは、以下の機構によるものと推察される。遊離脂肪酸は一般に、タンパク質と結合しやすい。なぜなら、遊離脂肪酸のアルキル鎖部分の疎水性とカルボキシル基部分の親水性部位が、タンパク質分子内の疎水性部位、親水性部位と相互作用しやすいからである。このため、反応液中に遊離脂肪酸が存在することで、タンパク質であるリパーゼに遊離脂肪酸が結合することにより、反応液中の反応基質以外の物質（例えば、反応液中の低級アルコール）がリパーゼに直接接触することにより引き起こされるリパーゼの失活を防ぐことができ、これにより、リパーゼ（酵素）の安定性を高めることができると推察される。
【００７８】
一方、前記酵素処理の反応液中における水分含量が０．４質量％未満である場合、リパーゼ（酵素）の安定性を維持することが困難である。その理由としては、反応液中における水分含量が０．４質量％未満と少ないため、原料油脂の加水分解が進行しにくく、その結果、遊離脂肪酸が生じにくいことが挙げられる。よって、遊離脂肪酸とタンパク質との結合が生じ難いため、上述した遊離脂肪酸によるタンパク質（リパーゼ）の失活を防止されず、リパーゼの安定性を高めることが困難であると推察される。
【００７９】
＜反応生成物＞
本実施形態に係る製造方法では、ＥＰＡ含有グリセリドを含有する原料油脂を、リパーゼを用いて処理することにより、低級アルコール脂肪酸エステル化物を含有する組成物を得ることができ、なかでも、低級アルコールＥＰＡエステル化物を効率的に得ることができる。すなわち、ＥＰＡ含有グリセリドを含有する原料油脂を、リパーゼを用いて処理することにより、ＥＰＡ含有グリセリドを低級アルコールＥＰＡエステル化物へと効率的に変換することができる。なお、得られる低級アルコール脂肪酸エステル化物は、低級アルコールＥＰＡエステル化物を含む多価不飽和脂肪酸のエステル化物であることができる。
【００８０】
例えば、原料油脂がＥＰＡ含有グリセリドおよびＤＨＡ含有グリセリドの両方を含むものである場合、上述のリパーゼを用いた処理によって、最終的に得られる本実施形態に係る組成物に含まれる低級アルコール脂肪酸エステル化物において、低級アルコールＤＨＡエステル化物に対する低級アルコールＥＰＡエステル化物のモル比率Ａ（低級アルコールＥＰＡエステル化物／低級アルコールＤＨＡエステル化物）を、原料油脂に含まれる脂肪酸グリセリドを構成する脂肪酸における、ＤＨＡに対するＥＰＡのモル比率Ｂ（ＥＰＡ／ＤＨＡ）より多くさせることができる。
【００８１】
この場合、前記モル比率Ａおよび前記モル比率Ｂが以下の式（１）で示される関係を有することが好ましく、式（２）で示される関係を有することがより好ましい。
１．５≦Ａ／Ｂ  ・・・・・（１）
２．０≦Ａ／Ｂ≦２５  ・・・・・（２）
【００８２】
＜低級アルコール脂肪酸エステル化物の含有量、および、低級アルコールＥＰＡエステル化物：低級アルコールＤＨＡエステル化物＞
また、最終的に得られる低級アルコール脂肪酸エステル化物含有組成物は、低級アルコール脂肪酸エステル化物を４０質量％以上９０質量％以下含み、該低級アルコール脂肪酸エステル化物含有組成物に含まれる低級アルコール脂肪酸エステル化物において、前記低級アルコールＤＨＡエステル化物に対する前記低級アルコールＥＰＡエステル化物のモル比率（低級アルコールＥＰＡエステル化物：低級アルコールＤＨＡエステル化物）は３．０以上３０以下であることができ、より具体的には、３．０以上２０以下であることが好ましく、３．０以上１５以下であることがより好ましい。
【００８３】
より具体的には、酵素処理で得られた低級アルコール脂肪酸エステル化物含有組成物は、低級アルコール脂肪酸エステル化物を４０質量％以上９０質量％以下（より具体的には、５０質量％以上８０質量％以下）含み、前記低級アルコール脂肪酸エステル化物は、低級アルコールＥＰＡエステル化物および低級アルコールＤＨＡエステル化物を、３．０≦（低級アルコールＥＰＡエステル化物／低級アルコールＤＨＡエステル化物）≦３０のモル比率で含む（好ましくは、３．０≦（低級アルコールＥＰＡエステル化物／低級アルコールＤＨＡエステル化物）≦２０、より好ましくは、３．０≦（低級アルコールＥＰＡエステル化物／低級アルコールＤＨＡエステル化物）≦１５）のモル比率で含むことができる。
【００８４】
＜分子蒸留＞
次に、本実施形態に係る製造方法では、酵素処理（リパーゼを用いた処理）（図１のステップＳ１）で得られた、低級アルコールＥＰＡエステル化物を含む低級アルコール脂肪酸エステル化物含有組成物を蒸留する工程（いわゆる、分子蒸留（一次蒸留）、図１のステップＳ２）をさらに含むことができる。
【００８５】
分子蒸留（ｍｏｌｅｃｕｌａｒ  ｄｉｓｔｉｌｌａｔｉｏｎ）は、高真空度下で行われる蒸留である。分子蒸留工程により、低級アルコールＥＰＡエステル化物および低級アルコールＤＨＡエステル化物を含む低級アルコール脂肪酸エステル化物の混合物と、該混合物以外の成分（低級アルコール脂肪酸エステル化物以外の脂肪酸モノグリセリド、脂肪酸ジグリセリドおよび脂肪酸トリグリセリド）とを分離することができる。なお、前記混合物以外の脂肪酸モノグリセリド、脂肪酸ジグリセリドおよび脂肪酸トリグリセリドを利用して、低級アルコールの存在下で再度エステル化することにより、低級アルコールＤＨＡエステル化物を得ることもできる。
【００８６】
分子蒸留は通常、後述する精密蒸留における真空度よりも高い真空度で行なうことができる。
【００８７】
例えば、分子蒸留における温度は、８０℃以上２００℃以下（好ましくは１５０℃以上２００℃以下）であり、真空度は０．００１Ｔｏｒｒ以上５Ｔｏｒｒ以下（好ましくは０．０１Ｔｏｒｒ以上１Ｔｏｒｒ以下）であり、より具体的には、温度１４０℃以上１６０℃以下でかつ真空度０．０１Ｔｏｒｒ以上０．１Ｔｏｒｒ以下である。
【００８８】
分子蒸留は、通常、前記低級アルコールＥＰＡエステル化物および前記低級アルコールＤＨＡエステル化物を含む低級アルコール脂肪酸エステル化物の混合物と、該混合物以外の成分とを分離することができる装置を用いて行われ、より具体的には、一般的に市販の分子蒸留装置を使用して行うことができ、例えば、遠心式分子蒸留機、ショートパス蒸留機、流下膜式蒸留機等を用いることができる。特に、ショートパス蒸留機が好ましい。分子蒸留装置では、蒸発管を通して被処理物を揮発させた後、冷却器内に通すことで、液化する低分子成分と、液化しない高分子成分とに分けることができる。
【００８９】
また、分子蒸留は、後述する精密蒸留の前に行うことが好ましく、さらには、分子蒸留を行った後で、後述する銀処理を行うことが好ましい。
【００９０】
＜ピーク強度比＞
この混合物のＦＴ−ＩＲスペクトル解析において、１７３６ｃｍ−１付近に現れるピークの強度に対する、９６６ｃｍ−１付近に現れるピークの強度の比が０．０７５以下であることが好ましく、０．０７以下であることがより好ましい。
【００９１】
＜ピーク強度比の意義＞
前記混合物のＦＴ−ＩＲスペクトル解析において、１７３６ｃｍ−１付近に現れるピークは、低級アルコール脂肪酸エステル化物に含まれるエステル結合を示す。また、９６６ｃｍ−１付近に現れるピークは、低級アルコール脂肪酸エステル化物に含まれる低級アルコール脂肪酸エステル化物の異性化物（トランス二重結合を含む異性化物）を示す（ＦＴＩＲによるトランス脂肪酸の定量、ＳＨＩＭＡＺＵ  ＡＰＰＬＩＣＡＴＩＯＮ  ＮＥＷＳ  Ｎｏ．４３０Ａ，株式会社島津製作所）。
【００９２】
よって、この混合物のＦＴ−ＩＲスペクトル解析において、１７３６ｃｍ−１付近に現れるピークの強度に対する、９６６ｃｍ−１付近に現れるピークの強度が大きいほど、異性化物（脂肪酸に含まれるシス二重結合が異性化して生じたトランス二重結合を含む）が低級アルコール脂肪酸エステル化物に多く含まれていることを示している。したがって、該混合物のＦＴ−ＩＲスペクトル解析において、１７３６ｃｍ−１付近に現れるピークの強度に対する、９６６ｃｍ−１付近に現れるピークの強度の比が０．０７５以下であることは、該混合物に含まれる異性化物が少ないことを示している。
【００９３】
＜異性化物の定義＞
なお、本発明において、ある化合物の「異性化物」とは、ある化合物と分子式は等しいが、該化合物と分子構造の異なる化合物のこと（異性体）をいい、ある化合物をその異性体に変えることを異性化という。
【００９４】
例えば、天然油脂を構成するＥＰＡ、ＤＨＡなどの脂肪酸は、その二重結合が全てシス配位であり、かつ、該二重結合が非共役の構造を有する。脂肪酸の異性化としては、例えば、脂肪酸の二重結合の少なくとも一部がトランス配位に変化することや、該二重結合が共役となる位置に移動すること等が挙げられる。
【００９５】
＜混合物の組成＞
また、後述する精密蒸留で得られる低級アルコールＥＰＡエステル化物の純度をより高めることができる観点で、前記混合物は、低級アルコール脂肪酸エステル化物を９０質量％以上含み、前記低級アルコール脂肪酸エステル化物は、低級アルコールＥＰＡエステル化物および低級アルコールＤＨＡエステル化物を以下のモル比率で含むことがより好ましい。
３．０≦（低級アルコールＥＰＡエステル化物／低級アルコールＤＨＡエステル化物）≦３０。
【００９６】
より好ましくは、３．０≦（低級アルコールＥＰＡエステル化物／低級アルコールＤＨＡエステル化物）≦２０である。
【００９７】
本実施形態に係る製造方法によれば、上記酵素処理によって、ＥＰＡ含有グリセリドを低級アルコール脂肪酸エステル化物へと選択的に変換させることができるため、上記分子蒸留工程によって、前記低級アルコールＥＰＡエステル化物および前記低級アルコールＤＨＡエステル化物を含む低級アルコール脂肪酸エステル化物と、他の成分（低級アルコール脂肪酸エステル化物以外の脂肪酸グリセリド、グリセリン）とを、一般的な分離処理にて比較的容易に分離することができる。これにより、後述する精密蒸留工程によって、純度の高い低級アルコールＥＰＡエステル化物を簡便な方法にて効率良く得ることができる。
【００９８】
＜精密蒸留＞
次に、本実施形態に係る製造方法では、分子蒸留（図１のステップＳ２）で得られた、低級アルコールＥＰＡエステル化物および低級アルコールＤＨＡエステル化物を含む混合物を蒸留して（精密蒸留、図１のステップＳ３）、前記低級アルコールＥＰＡエステル化物以外の低級アルコール脂肪酸エステル化物を分離することにより、低級アルコールＥＰＡエステル化物（好ましくは純度９６．５質量％以上、より好ましくは９８質量％以上約１００質量％以下）を得る工程をさらに含むことができる。
【００９９】
精密蒸留（ｒｅｃｔｉｆｉｃａｔｉｏｎ）は上記の分子蒸留と比べて低真空度下で行われる蒸留であって、具体的には、塔内で液と蒸気を向流接触させると共に、適当な還流を行い、液の蒸発と蒸気の凝縮を繰り返すことによって分離の度合いを高める連続蒸留操作であり、液体混合物の分離精製に最も多く用いられる蒸留である。精密蒸留工程により、複数種類の脂肪酸のエステル化物を含む低級アルコール脂肪酸エステル化物から、任意の低級アルコール脂肪酸エステル化物を分離することができる。したがって、本実施形態に係る精密蒸留工程では、前記分子蒸留工程により得られた、複数種類の低級アルコール脂肪酸エステル化物の中から、低級アルコールＥＰＡエステル化物を選択的に得ることができる。
【０１００】
精密蒸留は通常、上記の分子蒸留における真空度よりも低い真空度で行うことができる。
【０１０１】
例えば、精密蒸留における温度は、１５０℃以上２５０℃以下（好ましくは１６０℃以上２３０℃以下）であり、真空度は０．０１Ｔｏｒｒ以上１０Ｔｏｒｒ以下（好ましくは０．１Ｔｏｒｒ以上５Ｔｏｒｒ以下）であり、より具体的には、温度１７０℃以上２２０℃以下でかつ真空度０．５Ｔｏｒｒ以上３Ｔｏｒｒ以下である。
【０１０２】
精密蒸留は、通常、前記低級アルコールＥＰＡエステル化物以外の低級アルコール脂肪酸エステル化物を前記低級アルコールＥＰＡエステル化物と分離することができる装置を用いて行われ、より具体的には、精留塔を有する蒸留装置又は流下膜式の蒸留装置を使用して行うことができ、精留塔としては、例えば、棚段式、充填式、又はスプリング式等を用いることができ、特に、棚段構造を有する棚段式又は充填式の蒸留装置を使用することが好ましい。棚段構造を有する蒸留装置では、揮発した物質が上昇するが、物質の種類によって滞留する棚段が異なるため、排出口が付いている棚段まで目的物質が上昇するように棚段が設定されている。また、加熱方式としては、比較的加熱履歴の少ない流下型薄膜式が好ましい。また、精密蒸留の蒸留法としては、バッチ式または連続式のいずれでもよいが、連続式が好ましい。なお、精留塔の理論段数は適宜設定できるが、２段以上、好ましくは５段以上（通常２段以上１０以下）が好ましい。
【０１０３】
また、精密蒸留の回数および順序は限定されない。すなわち、精密蒸留を２回以上（通常２回以上４回以下）行ってもよいし、また、精密蒸留の後に銀処理を行ってもよいし、あるいは、銀処理を行った後に精密蒸留を行ってもよい。さらには、精密蒸留および銀処理を行った後に、精密蒸留を再度行ってもよい。
【０１０４】
＜銀処理＞
本実施形態に係る製造方法は、銀処理（本実施形態に係る低級アルコール脂肪酸エステル化物含有組成物を銀塩水溶液と接触させる処理）をさらに含むことができる。
【０１０５】
本実施形態に係る製造方法において、本願発明者らは、前記酵素処理の反応液が水分を含む場合（例えば、前記酵素処理の前記反応液中の水分含量が０．４質量％以上である場合）、該酵素処理において遊離脂肪酸が生じる傾向があることを見出した。
【０１０６】
本実施形態に係る製造方法によれば、前記酵素処理を行った後に銀処理工程を行うことにより、本実施形態に係る低級アルコール脂肪酸エステル化物含有組成物中の遊離脂肪酸の含有量を低減することができる。
【０１０７】
すなわち、該銀処理によって遊離脂肪酸の含有量を低減することができるため、例えば、本実施形態に係る低級アルコール脂肪酸エステル化物含有組成物の酸価を５未満（好ましくは４未満）にすることができる。
【０１０８】
本実施形態に係る製造方法において、酵素処理で生じた遊離脂肪酸を低減することができる点で、銀処理は、酵素処理後に行うことが好ましく、例えば、酵素処理で得られた前記混合物（例えば第１組成物）について銀処理を行ってもよいし、あるいは、分子蒸留の後に得られた低級アルコール脂肪酸エステル化物含有組成物（例えば第２組成物）について銀処理を行ってもよいし、あるいは、精密蒸留の後に得られた低級アルコール脂肪酸エステル化物含有組成物（例えば第２組成物）について銀処理を行ってもよい。
【０１０９】
（銀の濃度）
銀処理で使用する銀塩は、不飽和脂肪酸中の不飽和結合と錯体を形成しうる銀塩であればいずれも使用することができ、例えば、硝酸銀、過塩素酸銀、酢酸銀、トリクロロ酢酸銀、トリフルオロ酢酸銀等が挙げられる。これらの銀塩を、好ましくは１５質量％以上、より好ましくは２０質量％以上、さらに好ましくは４０質量％以上の濃度となるように水に溶解して銀塩水溶液とする。また、銀塩水溶液中の銀塩濃度は、飽和濃度を上限とすればよい。
【０１１０】
また、銀処理において、銀塩水溶液を回収し、再利用する前に、吸着剤と接触してもよい。上記吸着剤としては、例えば、活性炭、活性アルミナ、活性白土、酸性白土、シリカゲル、ケイソウ土、酸化アルミニウム、酸化マグネシウム等が挙げられ、これらのうちの１種または２種以上を使用することができる。
【０１１１】
上記銀塩水溶液と上記吸着剤との接触方法は、特に限定されるものではないが、例えば、上記銀塩水溶液中に上記吸着剤を投入し、撹拌する方法や、上記吸着剤を充填したカラムに上記銀塩水溶液を通液する方法等が挙げられる。また、銀塩水溶液を回収し、再利用する前に、希釈・濃度調整することによって、あるいは、有機溶媒で抽出してもよい。回収した銀塩水溶液の濃度調整は、減圧・加熱による水の蒸発により、あるいは比重を測定しながら適宜銀塩や水を加えることにより行なうことができる。
【０１１２】
また、銀処理において、銀処理対象物（例えば、上記酵素処理で得られた混合物（例えば第１組成物）、または、上記分子蒸留で得られた組成物（例えば第２組成物））に銀塩の水溶液を加え、好ましくは５分以上４時間以下の時間、より好ましくは１０分以上２時間以下の時間撹拌することにより、水溶性の銀塩−遊離脂肪酸の錯体を形成させ、該錯体を選択的に銀塩水溶液に溶かすことができる。該銀塩水溶液を除去することにより、遊離脂肪酸を除去することができる。これにより、低級アルコール脂肪酸エステル化物含有組成物の酸価を５未満（好ましくは４未満）にすることができる。
【０１１３】
また、銀処理対象物と銀塩水溶液との反応温度は、下限は銀塩水溶液が液体でありさえすればよく、上限は１００℃までで行われるが、低級アルコール脂肪酸エステル化物含有組成物の酸化安定性、銀塩の水への溶解性、錯体の生成速度などへの配慮から、１０℃以上３０℃以下の反応温度が好ましい。
【０１１４】
銀処理対象物と銀塩水溶液との接触時には、低級アルコール脂肪酸エステル化物含有組成物の酸化安定性、銀塩の安定性を考慮し、不活性ガス、例えば窒素雰囲気下で、遮光して行うのが好ましい。
【０１１５】
また、銀処理対象物と接触後の銀塩水溶液には、水に難混和性の有機溶媒を添加することができる。有機溶媒添加後、有機相を回収することにより、低級アルコール脂肪酸エステル化物含有組成物を回収することができる。この場合、水に難混和性の有機溶媒は、銀塩の水溶液１００質量％に対して１０質量％以上２００質量％以下であるのが好ましく、３０質量％以上であり、また１５０質量％以下であることがより好ましい。
【０１１６】
水に難混和性の有機溶媒としては、例えば、直鎖状脂肪族炭化水素（例えば、ｎ−ペンタン，ｎ−ヘキサン，ｎ−ヘプタン，ｎ−ヘキセン，ｎ−オクタン，イソオクタン等の炭素数５以上１０以下の直鎖状脂肪族炭化水素）、環状脂肪族炭化水素（シクロヘキサン，シクロヘキセン，メチルシクロヘキセン等の炭素数５以上１０以下の環状脂肪族炭化水素）、芳香族炭化水素（例えば、トルエン，ベンゼン，エチルベンゼン，キシレン，スチレン等の炭素数５以上１０以下の芳香族炭化水素）等の炭化水素類、または石油エーテルが挙げられる。なお、前記回収工程は、複数回繰り返し実施することができる。
【０１１７】
＜低級アルコールＥＰＡエステル化物の具体例＞
低級アルコールＥＰＡエステル化物は、医薬品、化粧品、食品等の原料として使用することができる。低級アルコールＥＰＡエステル化物としては、例えば、ＥＰＡメチルエステル、ＥＰＡエチルエステル、ＥＰＡｎ−プロピルエステル、ＥＰＡイソプロピルエステルが挙げられ、このうち、ＥＰＡエチルエステル（本明細書において、「ＥＰＡＥＥ」ともいう。）は、例えば高脂血症、閉塞性動脈硬化等の循環器系疾患治療薬として用いられている。したがって、低級アルコールＥＰＡエステル化物はＥＰＡＥＥであってもよく、低級アルコールＤＨＡエステル化物はＤＨＡエチルエステル（本明細書において、「ＤＨＡＥＥ」ともいう。）であってもよい。
【０１１８】
＜低級アルコールＥＰＡエステル化物の用途＞
また、低級アルコールＥＰＡエステル化物および低級アルコールＤＨＡエステル化物は、サプリメント等の食品組成物およびカプセル剤の原料として使用することができる。
【０１１９】
＜作用効果−公知の低級アルコール脂肪酸エステル化物含有組成物の製造方法＞
本実施形態に係る製造方法の作用効果を説明するにあたり、まず、公知の低級アルコール脂肪酸エステル化物含有組成物の製造方法について説明する。
【０１２０】
＜公知の低級アルコール脂肪酸エステル化物含有組成物の製造方法＞
公知の低級アルコール脂肪酸エステル化物含有組成物の製造方法（特許文献１に記載）では、まず、複数の脂肪酸を低級アルコール脂肪酸エステル部位に有する脂肪酸グリセリドを含む原料油脂を、アルカリ性条件下でアルコールと処理することで、脂肪酸グリセリドとアルコールとのエステル交換反応によって、低級アルコール脂肪酸エステル化物を得る。この方法では、複数種類の低級アルコール脂肪酸エステル化物の混合物が得られる。
【０１２１】
＜公知の低級アルコール脂肪酸エステル化物含有組成物の製造方法−課題＞
複数種類の低級アルコール脂肪酸エステルの混合物から所望の低級アルコール脂肪酸エステルを分離するためには、例えば、条件（例えば、真空度、加熱温度、加熱方法、加熱時間）を非常に厳密に制御した蒸留を行う必要がある。このように、条件の厳しい蒸留を行うことは、製造プロセス上、負担が大きい。
【０１２２】
例えば、ＥＰＡ含有グリセリドおよびＤＨＡ含有グリセリドを含む油脂をアルカリ性条件下でエステル交換反応を行う場合、ＥＰＡとＤＨＡとは炭素数や二重結合数が近似するため、得られる低級アルコールＥＰＡエステル化物と低級アルコールＤＨＡエステル化物と（例えば、ＥＰＡＥＥとＤＨＡＥＥ）を分離するためには、非常に精密に制御された条件下で蒸留することが必要とされ、製造プロセス上、非常に負担が大きい。また、通常、低級アルコールＥＰＡエステル化物および低級アルコールＤＨＡエステル化物の一方のみを単離することが困難であるため、蒸留時にロスが生じる傾向がある。
【０１２３】
また、蒸留は一般に、大規模な装置を必要とすることが多く、製造コストが増大する傾向がある。さらに、アルカリ性条件下で処理を行う場合、使用するアルカリ性液が廃液として生じるため、該廃液を処理する必要が生じるという問題がある。
【０１２４】
さらに、上記エステル交換反応では、アルカリ性条件下において、低級アルコール脂肪酸エステル化物に含まれる二重結合に異性化（トランス二重結合の生成など）が生じることがある。異性化は、通常、アルカリ処理や加熱によって生じやすい。
【０１２５】
低級アルコール脂肪酸エステル化物の異性化物は一般に、通常の不純物除去処理（例えば、蒸留、クロマトグラフィー）では、低級アルコール脂肪酸エステル化物との分離が困難である。したがって、上述したようなアルカリ条件下での処理（以下、単に「アルカリ処理」ともいう。）や加熱処理によって、低級アルコール脂肪酸エステル化物の異性化物（トランス二重結合を有する）が一旦生成すると、低級アルコール脂肪酸エステル化物中からの該異性化物の除去は一般に困難である。すなわち、この異性化物は、低級アルコール脂肪酸エステル化物の純度を低下させる一原因物質である。
【０１２６】
＜本実施形態に係る製造方法の作用効果＞
（ｉ）これに対して、本実施形態に係る製造方法によれば、第１に、ＥＰＡ含有グリセリドを含有する原料油脂を酵素処理（リパーゼを用いた処理）して、低級アルコールＥＰＡエステル化物を含む低級アルコール脂肪酸エステル化物含有組成物を得る工程を含むことにより、純度が高い低級アルコールＥＰＡエステル化物を効率良く得ることができる。
【０１２７】
より具体的には、本実施形態に係る製造方法によれば、アルカリ処理を経なくても低級アルコールＥＰＡエステル化物が得られるため、異性化物の発生を抑えることができる。よって、純度が高い低級アルコールＥＰＡエステル化物を効率良く得ることができる。また、上記本実施形態に係る製造方法では、アルカリを用いる場合のような廃液処理の問題が生じないため、環境に与える影響が少ない。
【０１２８】
（ｉｉ）第２に、前記酵素処理を行うことにより、低級アルコールＤＨＡエステル化物に対する低級アルコールＥＰＡエステル化物のモル比率を高めることができる（具体的には、３．０≦（低級アルコールＥＰＡエステル化物／低級アルコールＤＨＡエステル化物）≦３０、好ましくは、３．０≦（低級アルコールＥＰＡエステル化物／低級アルコールＤＨＡエステル化物）≦２０）。
【０１２９】
より具体的には、前記酵素処理を行うことにより、低級アルコールＥＰＡエステル化物および低級アルコールＤＨＡエステル化物を、３．０≦（低級アルコールＥＰＡエステル化物／低級アルコールＤＨＡエステル化物）≦３０（より好ましくは３．０≦（低級アルコールＥＰＡエステル化物／低級アルコールＤＨＡエステル化物）≦２０）のモル比率で含む低級アルコール脂肪酸エステル化物含有組成物を得ることができ、低級アルコールＤＨＡエステル化物に変換されなかったＤＨＡは、ＤＨＡ含有グリセリドとして残存することになる。
【０１３０】
低級アルコールＥＰＡエステル化物と、他の成分（主に、ＤＨＡ含有グリセリド、グリセリン、遊離脂肪酸）およびＥＰＡよりも炭素数が小さい低級アルコール脂肪酸エステルとは、蒸留やクロマトグラフィー等の一般的な不純物除去処理によって比較的容易に分離できる傾向がある。
【０１３１】
したがって、低級アルコールＥＰＡエステル化物と、低級アルコール脂肪酸エステル化物ではない他の成分およびＥＰＡよりも炭素数が小さい低級アルコール脂肪酸エステルとを分離する際には、上述のアルカリ処理の後に通常行われる、低級アルコールＥＰＡエステル化物と他の低級アルコール脂肪酸エステル化物とを分離するための精密に制御された蒸留を行う必要がないうえに、蒸留時のロスを少なくすることができる。このことから、本実施形態に係る製造方法によれば、低級アルコールＤＨＡエステル化物に対する低級アルコールＥＰＡエステル化物のモル比率を高めることにより、純度が高い低級アルコールＥＰＡエステル化物を簡便な方法にて効率良く得ることができる。
【０１３２】
原料油脂をリパーゼによって処理する工程においては、ＥＰＡを脂肪酸エステル部位として有する脂肪酸グリセリドが、ＤＨＡを脂肪酸エステル部位として含有する脂肪酸グリセリドよりも優先的にエチルエステル化されると推測される。このため、後の工程において、低級アルコールＥＰＡエステル化物と低級アルコールＤＨＡエステル化物とのモル比率（低級アルコールＥＰＡエステル化物／低級アルコールＤＨＡエステル化物）を高めることができる。
【０１３３】
したがって、本実施形態に係る製造方法は、ＥＰＡ含有グリセリドを含有する原料油脂をまず酵素処理して、低級アルコールＥＰＡエステル化物の含有割合が高められた低級アルコール脂肪酸エステル化物含有組成物を得てから、蒸留処理を行なうことにより、異性化物が低減された低級アルコールＥＰＡエステル化物を容易に、かつ、より多く単離することができる点で有用である。
【０１３４】
（ｉｉｉ）第３に、前記酵素処理における水分含量が０．４質量％以上であることにより、反応液中に含まれる該水分により、酵素反応により生じるグリセリンを水中に誘導させることで、グリセリンが油中で固まるのを防止し、酵素反応を円滑に進行させることができる。また、原料油脂が加水分解されて遊離脂肪酸が生成する結果、該反応液中の遊離脂肪酸の濃度が高くなる（該反応液の酸価が高くなる）ため、酵素安定性が高められる。その結果、酵素の繰り返し使用が可能になるため、製造コストの低減および省資源化を図ることができる。したがって、前記酵素処理は、再利用性、取扱性および経済性に優れていることから、小規模スケールでの処理のみならず、大規模スケールでの処理に好適である。
【０１３５】
＜第１組成物＞
本発明の一実施形態に係る低級アルコール脂肪酸エステル化物含有組成物（以下、「第１組成物」ともいう。）は、低級アルコール脂肪酸エステル化物を４０質量％以上９０質量％以下（より具体的には、５０質量％以上８０質量％以下）含み、前記低級アルコール脂肪酸エステル化物は、低級アルコールＥＰＡエステル化物および低級アルコールＤＨＡエステル化物を以下のモル比率で含む。第１組成物は、例えば、上述の酵素処理又は上述の酵素処理とそれに続く銀処理により得ることができる。
３．０≦（低級アルコールＥＰＡエステル化物／低級アルコールＤＨＡエステル化物）≦３０
【０１３６】
上記モル比率は、以下のモル比率であることが好ましい。
３．０≦（低級アルコールＥＰＡエステル化物／低級アルコールＤＨＡエステル化物）≦２０
【０１３７】
上記モル比率は、以下のモル比率であることがより好ましい。
３．０≦（低級アルコールＥＰＡエステル化物／低級アルコールＤＨＡエステル化物）≦１５
【０１３８】
第１組成物は、ＦＴ−ＩＲスペクトル解析において、１７３６ｃｍ−１付近に現れるピークの強度に対する、９６６ｃｍ−１付近に現れるピークの強度の比が０．１５以下（好ましくは０．１３以下）であることができる。したがって、第１組成物では、異性化物が低減されている。この第１組成物を上述の分子蒸留に供することにより、異性化物が少ない、第２組成物（低級アルコールＥＰＡエステル化物および低級アルコールＤＨＡエステル化物の混合物）を得ることができる。また、第１組成物は、上述の銀処理によって、遊離脂肪酸の含有量が低減されており、酸価が５未満（好ましくは４未満）であることができる。
【０１３９】
＜第１組成物を用いた分子蒸留＞
本発明の一実施形態に係る低級アルコール脂肪酸エステル化物含有組成物の製造方法は、上記第１組成物を蒸留して、前記低級アルコールＥＰＡエステル化物および前記低級アルコールＤＨＡエステル化物を含む低級アルコール脂肪酸エステル化物の混合物と、該混合物以外の成分とを分離することにより、後述する第２組成物を得る工程を含む。
【０１４０】
本実施形態に係る製造方法において、第１組成物を蒸留して、後述する第２組成物を得る工程は、上述の分子蒸留工程に相当する。
【０１４１】
本実施形態に係る製造方法によれば、第１組成物を蒸留して、後述する第２組成物を得る工程を含むことにより、上述の精密蒸留において低級アルコールＥＰＡエステル化物を選択的に得ることができる。
【０１４２】
＜第２組成物＞
本発明の一実施形態に係る低級アルコール脂肪酸エステル化物含有組成物（以下、「第２組成物」ともいう。）は、低級アルコール脂肪酸エステル化物を９０質量％以上（より具体的には、９５質量％以上１００質量％以下）含み、前記低級アルコール脂肪酸エステル化物は、低級アルコールＥＰＡエステル化物および低級アルコールＤＨＡエステル化物を以下のモル比率で含む。第２組成物は、上述の分子蒸留処理又は上述の分子蒸留処理とこれに続く銀処理にて得ることができる。
３．０≦（低級アルコールＥＰＡエステル化物／低級アルコールＤＨＡエステル化物）≦３０
【０１４３】
上記モル比率は、以下のモル比率であることがより好ましい。
３．０≦（低級アルコールＥＰＡエステル化物／低級アルコールＤＨＡエステル化物）≦２０
【０１４４】
上記モル比率は、以下のモル比率であることがさらに好ましい。
３．０≦（低級アルコールＥＰＡエステル化物／低級アルコールＤＨＡエステル化物）≦１５
【０１４５】
第２組成物は、ＦＴ−ＩＲスペクトル解析において、１７３６ｃｍ−１付近に現れるピークの強度に対する、９６６ｃｍ−１付近に現れるピークの強度の比が０．０７５以下（好ましくは０．０７０以下）であることができる。したがって、第２組成物では、異性化物が低減されている。この第２組成物を上述の精密（２次）蒸留に供することにより、異性化物が少ない、低級アルコールＥＰＡエステル化物を得ることができる。
【０１４６】
また、第２組成物は、遊離脂肪酸の含有量が低減されており、酸価が５未満（好ましくは４未満）であることができる。遊離脂肪酸の含量量の低減は例えば、上述の銀処理によって行うことができる。第２組成物は例えば、サプリメント等の食品組成物およびカプセル剤の原料として使用することができる。
【０１４７】
＜第２組成物を用いた精密蒸留＞
本発明の一実施形態に係る低級アルコール脂肪酸エステル化物含有組成物の製造方法は、上記第２組成物を蒸留して、前記低級アルコールＥＰＡエステル化物以外の低級アルコール脂肪酸エステル化物を分離することにより、低級アルコールＥＰＡエステル化物（後述する第３組成物）を得る工程を含む。
【０１４８】
本実施形態に係る製造方法において、第２組成物を蒸留して、低級アルコールＥＰＡエステル化物を得る工程は、上述の精密蒸留工程に相当する。
【０１４９】
本実施形態に係る製造方法によれば、第２組成物を蒸留して、低級アルコールＥＰＡエステル化物を得る工程を含むことにより、低級アルコールＥＰＡエステル化物を選択的に得ることができる。純度の高い低級アルコールＥＰＡエステル化物は例えば、サプリメント等の食品組成物およびカプセル剤の原料として使用することができる。
【０１５０】
＜第３組成物＞
本発明の一実施形態に係る低級アルコール脂肪酸エステル化物含有組成物（以下、「第３組成物」ともいう。）は、低級アルコールＥＰＡエステル化物を９６．５質量％以上（より好ましくは９８質量％以上約１００質量％以下）含み、かつ、ＦＴ−ＩＲスペクトル解析において、１７３６ｃｍ−１付近に現れるピークの強度に対する、９６６ｃｍ−１付近に現れるピークの強度の比が０．０８５以下である。
【０１５１】
第３組成物は、上述の精密蒸留工程を経て得ることができる。第３組成物は、異性化物の含量がきわめて少ないため、例えば、サプリメント等の食品組成物およびカプセル剤の原料として好適に使用することができる。
【実施例】
【０１５２】
以下、実施例によって本発明をさらに詳細に説明するが、本発明は実施例に限定されない。【０１５３】
［調製例１（固定化酵素の調製）］
サーモマイセス・ラヌギノーゼ（Ｔｈｅｒｍｏｍｙｃｅｓ  ｌａｎｕｇｉｎｏｓｅ）の４００ｇの溶液（９４０ＫＬＵ／ｍＬ）を、大川原製作所製流動層造粒装置を用いて１kgのセライト５４５（ジョンマンビル社、粒径０．０２−０．１ｍｍ）上に噴霧した。前記リパーゼ溶液はペリスタポンプ（東京理化器械株式会社製）を経由して供給した。１００ｍ３／時の空気流により吸い込み口の空気の温度は５７℃であり、そして固定化産物の温度は約４０℃であった。固定化終了後、流動層中で更に５分間乾燥して、粒子状の固定化酵素（平均粒子径６００μｍ、比重２）を得た。【０１５４】
［実施例１（酵素処理）］
精製魚油（イワシ油、酸価０）１ｋｇをセパラブルフラスコ（容量３Ｌ）に入れ、エタノール５２．５ｇを添加した。フラスコを混ぜ、エタノールを魚油中に均一に分散させた。次に、水２１ｇ（反応液中の水分含量：２質量％）を入れ、撹拌し、水を魚油−エタノール混合物中に分散させて、反応液を調製した。次いで、実施例１で調製した固定化酵素１０５ｇを添加し、サンプル瓶中の大気を窒素で置換してから、撹拌機を使用し、サンプルを１５０ｒｐｍ、３０℃にて２４時間反応させて、ＥＰＡＥＥおよびＤＨＡＥＥを含む低級アルコール脂肪酸エステル化物含有組成物（第１組成物）を得た。反応開始から０時間、２時間、４時間、６時間、および２４時間の時点でそれぞれ、反応液２００μｌ採取し、成分分析（低級アルコール脂肪酸エステル化物含有組成物中の低級アルコール脂肪酸エステル化物の含有量（質量％）、低級アルコール脂肪酸エステル化物中のＥＰＡＥＥの含有量（モル％）、低級アルコール脂肪酸エステル化物中のＤＨＡＥＥの含有量（モル％）、ＥＰＡＥＥ／ＤＨＡＥＥ（モル比率））を行った。また、反応開始から２時間、４時間、６時間の時点でエタノール５２．５ｇを反応液に追加し、かつ、サンプル瓶中で窒素置換を行った。また、２４時間の反応を１サイクルとし、該反応を３サイクル繰り返して行った。各サイクルの終了後に、反応液から吸引ろ過にて油と固定化酵素とを分別し、分別した固定化酵素を反応容器に移し、その後、必要量の油を加えて、次サイクルの反応に繰り返し使用した。さらに、反応開始から０時間、２時間、４時間、６時間、８時間、２４時間（反応終了時）の時点で反応液を微量採取して、成分分析を行った。【０１５５】
上述した実施形態に記載された方法により測定および算出された、実施例１（１サイクル目の２４時間反応）の反応液の酸価は５．９５であり、実施例１（３サイクル目の８時間反応）の反応液の酸価は６．１７あった。【０１５６】
また、実施例１（１サイクル目の２４時間反応）の反応液のＦＴ−ＩＲスペクトル解析（測定装置：１回反射型全反射測定装置ＭＩＲａｃｌｅＡ（ＺｎＳｅプリズム））において、１７３６ｃｍ−１付近に現れるピークの強度に対する、９６６ｃｍ−１付近に現れるピークの強度の比は０．１２であった。【０１５７】
（実施例２〜８（酵素処理））
使用する水の量を５．２５ｇ（反応液中の水分含量：０．５質量％）、１０．５ｇ（反応液中の水分含量：１質量％）、５２．５ｇ（反応液中の水分含量：５質量％）、１０５ｇ（反応液中の水分含量：９質量％）、２１０ｇ（反応液中の水分含量：１７質量％）、５２５ｇ（反応液中の水分含量：３３質量％）、１０５０ｇ（反応液中の水分含量：５０質量％）とした以外は、実施例１と同様の処理を行ない、ＥＰＡＥＥ及びＤＨＡＥＥを含む、実施例２ないし８の低級アルコール脂肪酸エステル化物含有組成物（第１組成物）を得た。【０１５８】
なお、実施例３ないし５においては、実施例１と同様に、２４時間の反応を１サイクルとし、該反応を３サイクル繰り返して行い、各サイクルの終了後に、反応液から吸引ろ過にて油と固定化酵素とを分別し、分別した固定化酵素を反応容器に移し、その後、必要量の油を加えて、次サイクルの反応に繰り返し使用した。【０１５９】
上述した実施形態に記載された方法により測定および算出された、実施例２ないし８の反応液の酸価はそれぞれ２．２以上１２以下の範囲内であった。【０１６０】
また、実施例２ないし８の反応液のＦＴ−ＩＲスペクトル解析（測定装置：１回反射型全反射測定装置ＭＩＲａｃｌｅＡ（ＺｎＳｅプリズム））において、１７３６ｃｍ−１付近に現れるピークの強度に対する、９６６ｃｍ−１付近に現れるピークの強度の比はいずれも０．１５以下であった。【０１６１】
（比較例１（酵素処理））
使用する水の量を０ｇ（反応液中の水分含量：０％）とした以外は、実施例１と同様の処理を行ない、ＥＰＡＥＥ及びＤＨＡＥＥを含む、比較例１の低級アルコール脂肪酸エステル化物含有組成物を得た。【０１６２】
（比較例２（酵素処理））
使用する水の量を３．１５ｇ（反応液中の水分含量：０．３質量％）とした以外は、実施例１と同様の処理を行ない、ＥＰＡＥＥ及びＤＨＡＥＥを含む、比較例２の低級アルコール脂肪酸エステル化物含有組成物を得た。【０１６３】
上述した実施形態に記載された方法により測定および算出された、比較例１の反応液の酸価は１．０であり、比較例２の反応液の酸価は１．５であった。【０１６４】
実施例１ないし８および比較例１および２の各低級アルコール脂肪酸エステル化物含有組成物に含まれる、低級アルコール脂肪酸エステル化物含有組成物中の低級アルコール脂肪酸エステル化物の含有量（質量％）、低級アルコール脂肪酸エステル化物中のＥＰＡＥＥの含有量（モル％）、低級アルコール脂肪酸エステル化物中のＤＨＡＥＥの含有量（モル％）、およびＥＰＡＥＥ／ＤＨＡＥＥ（モル比率）を表１に示す。【０１６５】
【表１】
0005753963.tif 000002
【０１６６】
表１によれば、実施例１ないし８において、反応開始から２時間で、低級アルコール脂肪酸エステル化物中におけるＥＰＡＥＥの含有量は急激に増加し、反応時間の増加に伴い、反応液中の低級アルコール脂肪酸エステル化物の含有量が増加するともに、低級アルコール脂肪酸エステル化物中のＥＰＡＥＥの含有量およびＤＨＡＥＥの含有量が増加する傾向があり、結果として、反応前の原料油脂に含まれる脂肪酸グリセリドを構成するＥＰＡ／ＤＨＡの値と比較して、反応液におけるＥＰＡＥＥの含有量／ＤＨＡＥＥ含有量の値を高めることができたことが理解できる。【０１６７】
また、実施例１ないし８によれば、前記酵素処理の反応液の水分含量が０．４質量％以上であることにより、酵素の安定性が高められる結果、酵素の繰り返し使用が可能になるため、固定化酵素を反応液中から取り出して再度使用できることが理解できる。【０１６８】
さらに、実施例１ないし８によれば、リパーゼを用いた処理において、反応液の水分含量を０．４質量％以上としたことにより、低級アルコール脂肪酸エステル化物の含有量が４０質量％以上９０質量％以下であり、かつ、ＤＨＡＥＥに対する前記ＥＰＡＥＥのモル比率（ＥＰＡＥＥ／ＤＨＡＥＥ）が３．０以上３０以下である低級アルコール脂肪酸エステル化物含有組成物を得ることができた。【０１６９】
なお、反応前の原料油脂に含まれる脂肪酸グリセリドを構成する脂肪酸における、ＥＰＡの含有量およびＤＨＡの含有量はそれぞれ、１８モル％、１２モル％（ＥＰＡ／ＤＨＡ＝３／２）である。このことから、上記処理により、ＥＰＡ含有グリセリドを含む原料油脂からＥＰＡＥＥを選択的に得ることができることが理解できる。【０１７０】
これに対して、比較例１および２によれば、リパーゼを用いた処理において、反応液の水分含量が０．４質量％未満である場合、酵素の安定性が低く、反応液における低級アルコール脂肪酸エステル化物の含有量が実施例１ないし８で得られた反応液よりも少なかった。【０１７１】
［実施例９（分子蒸留処理）］
実施例１で得られた第１組成物を、ショートパス蒸留機（株式会社神鋼環境ソリューション製）を使用して、真空度０．１Ｔｏｒｒ以下で８０℃以上２００℃以下の温度にて蒸留し（分子蒸留（一次蒸留））、低級アルコールＥＰＡエステル化物（ＥＰＡＥＥ）および低級アルコールＤＨＡエステル化物（ＤＨＡＥＥ）を含む低級アルコール脂肪酸エステル化物含有組成物（第２組成物）を得た。【０１７２】
実施例９で得られた第２組成物のＦＴ−ＩＲスペクトル解析（測定装置：１回反射型全反射測定装置ＭＩＲａｃｌｅＡ（ＺｎＳｅプリズム））において、１７３６ｃｍ−１付近に現れるピークの強度に対する、９６６ｃｍ−１付近に現れるピークの強度の比は０．０６９であり、該該第２組成物に含まれる低級アルコール脂肪酸エチルエステルの含有量はほぼ１００質量％であり、第２組成物の酸価は１０．１であり、ならびに、第２組成物におけるＥＰＡＥＥ／ＤＨＡＥＥ（モル比率）は６．０であった。【０１７３】
［実施例１０（精密蒸留処理）］
実施例９で得られた第２組成物を、流下型薄膜式の精密蒸留機（株式会社旭製作所製）を使用して、真空度３Ｔｏｒｒ以下、１５０℃以上２５０℃以下の温度、理論段数５段にて蒸留（精密蒸留（二次蒸留））して、ＥＰＡＥＥ（第３組成物、純度：ほぼ１００質量％）を得た。【０１７４】
実施例１０のＥＰＡＥＥのＦＴ−ＩＲスペクトル解析（測定装置：１回反射型全反射測定装置ＭＩＲａｃｌｅＡ（ＺｎＳｅプリズム））において、１７３６ｃｍ−１付近に現れるピークの強度に対する、９６６ｃｍ−１付近に現れるピークの強度の比は０．０８１であり、該第３組成物に含まれる脂肪酸エチルエステル（ＥＰＡＥＥ）の含有量はほぼ１００質量％であり、該第３組成物の酸価はほぼ０であった。【０１７５】
［比較例３（アルカリ処理による低級アルコール脂肪酸エステル化物含有組成物の調製およびＥＰＡＥＥおよびＤＨＡＥＥの混合物の調製）］
２Ｌの共栓付き三角フラスコ（アルミホイルにて遮光）に、実施例１で使用したものと同じ精製魚油８００ｇ（カールフィッシャー法で測定された水分測定値０．０４質量％）を添加した。別のビーカーにエタノール２４０ｍＬを入れ、水酸化ナトリウム４．８ｇを添加して、２％（ｗ／ｗ）水酸化ナトリウムエタノール溶液を調製した。この２％（ｗ／ｗ）水酸化ナトリウムエタノール溶液を前記三角フラスコに添加した後、該三角フラスコ内を窒素置換した。次いで、該三角フラスコを３０℃恒温水槽に浸して、スターラー目盛り８にて室温（２５℃）にて１８時間撹拌を行った。その後、反応液を分液漏斗に移し、純水５０ｇを添加して水洗し、約２０分間静置した後、下相（水相）を廃棄する洗浄操作を行った。次いで、純水５０ｇを添加して同様の洗浄操作を行った後、同様の洗浄操作をさらに４回（添加する純水の量、１回目：５０ｇ、２回目：２４０ｇ、３回目：２４０ｇ、４回目：２４０ｇ）を行った。続いて、油相が中性であることを確認した後、無水硫酸ナトリウムを添加して一晩静置し、４℃で保管することにより、比較例３の低級アルコール脂肪酸エステル化物含有組成物を得た。【０１７６】
この比較例３の低級アルコール脂肪酸エステル化物含有組成物について、実施例９と同様の蒸留処理を行うことにより、ＥＰＡＥＥおよびＤＨＡＥＥの混合物を得た。【０１７７】
比較例３の反応液のＦＴ−ＩＲスペクトル解析（測定装置：１回反射型全反射測定装置ＭＩＲａｃｌｅＡ（ＺｎＳｅプリズム））において、１７３６ｃｍ−１付近に現れるピークの強度に対する、９６６ｃｍ−１付近に現れるピークの強度の比は０．０９５であり、該反応液に含まれる脂肪酸エチルエステルの含有量はほぼ１００質量％であった。【０１７８】
このことから、本発明に係る低級アルコール脂肪酸エステル化物含有組成物の製造方法（実施例９）によれば、アルカリ処理を行う方法（比較例３）と比較して、低級アルコール脂肪酸エステル化物含有組成物に含まれる異性化物の量を低減できた。【０１７９】
［調製例２（固定化酵素の調製）］
ジビニルベンゼン（ＤＶＢ）７０質量％とメタクリル酸グリシジル１５質量％とＤＥＡＥメタクレート１５質量％を通常の方法で共重合し、粒子状の樹脂担体を得た。この樹脂担体の平均細孔径は１１．５ｎｍで細孔容積は０．５ｃｍ３／ｇ、平均粒子径は０．５ｍｍ、比重０．２であった。得られた樹脂担体１ｋｇにRhizopus sp.由来のリパーゼＦＡＰ−１５（天野エンザイム（株）製１５５,０００ｕ／ｇ）の２質量％水溶液１０Ｌを加え、３時間２５℃で攪拌しながら固定化を行った。濾過、洗浄後、真空乾燥器で２時間乾燥し、固定化酵素を得た。【０１８０】
［実施例１１、１２、１３、１４（酵素処理）］
実施例１の酵素処理において、使用する固定化酵素を、調製例２で得られた固定化酵素に置き換え、表２に記載の酵素量、エタノール量、水分含量に置き換えた以外は、実施例１と同様の方法で１サイクル反応させ、成分分析を行った。なお、実施例１３では、反応開始時および反応開始から４時間の時点でそれぞれ、エタノールを１０５ｇ添加した。実施例１４では、反応開始時にエタノールを２１０ｇ添加した。【０１８１】
上述した実施形態に記載された方法により測定および算出された、実施例１１の反応液（反応開始から２４時間の時点）の酸価は４．６であった。【０１８２】
【表２】
0005753963.tif 000003
【０１８３】
表２によれば、実施例１１ないし１４において、反応開始から２時間で、低級アルコール脂肪酸エステル化物中におけるＥＰＡＥＥの含有量は急激に増加し、反応時間の増加に伴い、反応液中の低級アルコール脂肪酸エステル化物の含有量が増加するともに、低級アルコール脂肪酸エステル化物中のＥＰＡＥＥの含有量およびＤＨＡＥＥの含有量が増加する傾向があり、結果として、反応前の原料油脂に含まれる脂肪酸グリセリドを構成するＥＰＡ／ＤＨＡの値と比較して、反応液におけるＥＰＡＥＥの含有量／ＤＨＡＥＥ含有量の値を高めることができたことが理解できる。【０１８４】
また、実施例１１ないし１４によれば、リパーゼを用いた処理において、反応液の水分含量を０．４質量％以上としたことにより、低級アルコール脂肪酸エステル化物の含有量が４０質量％以上９０質量％以下であり、かつ、ＤＨＡＥＥに対する前記ＥＰＡＥＥのモル比率（ＥＰＡＥＥ／ＤＨＡＥＥ）が３．０以上１５．０以下である低級アルコール脂肪酸エステル化物含有組成物を得ることができた。【０１８５】
また、実施例１１ないし１４の反応液のＦＴ−ＩＲスペクトル解析（測定装置：１回反射型全反射測定装置ＭＩＲａｃｌｅＡ（ＺｎＳｅプリズム））において、１７３６ｃｍ−１付近に現れるピークの強度に対する、９６６ｃｍ−１付近に現れるピークの強度の比はいずれも０．１５以下であった。【０１８６】
［実施例１５（銀処理）］
実施例９で得られた低級アルコール脂肪酸エステル化物含有組成物（第２組成物）１０ｇを銀塩水溶液（硝酸銀の濃度：５０質量％）４０ｇと窒素雰囲気下遮光下で、２０℃、２０分間混合することにより、該組成物と該銀塩水溶液とを接触させた（表３の試験番号１）。また、上記銀塩水溶液の使用量を変えて同様の処理を行った（表３の試験番号２、３）。
接触後に分離した有機相を廃棄し、残りの当該銀塩水溶液にトルエン４０ｇを添加した後、６０℃で１時間撹拌し、ＥＰＡＥＥおよびＤＨＡＥＥを含むトルエン層を回収した後トルエンを除去して、ＥＰＡＥＥおよびＤＨＡＥＥの混合物を得た。【０１８７】
銀処理前後における酸価およびＥＰＡＥＥの含有量／ＤＨＡＥＥ含有量の値（モル比率）を表３に示す。【０１８８】
【表３】
0005753963.tif 000004
【０１８９】
表３によれば、本実施例の銀処理によって、ＥＰＡエチルエステル／ＤＨＡエチルエステルの比率を保持したまま、低級アルコール脂肪酸エステル化物含有組成物（第２組成物）の酸価を５未満に低減できたことが理解できる。なお、実施例１０で得られたＥＰＡＥＥについても、本実施例と同様の銀処理を行うことにより、微量含まれる遊離脂肪酸を除去することができた。【０１９０】
［実施例１６（精密蒸留処理）］
実施例１５で得られた、銀処理後の第２組成物を、精密蒸留機（株式会社旭製作所製）を使用して、真空度３Ｔｏｒｒ以下、１５０℃以上２００℃以下の温度、理論段数５段にて蒸留（精密蒸留）して、ＥＰＡＥＥ（第３組成物、純度：ほぼ１００質量モル％、酸価：ほぼ０）を得た。【０１９１】
実施例１６のＥＰＡＥＥのＦＴ−ＩＲスペクトル解析（測定装置：１回反射型全反射測定装置ＭＩＲａｃｌｅＡ（ＺｎＳｅプリズム））において、１７３６ｃｍ−１付近に現れるピークの強度に対する、９６６ｃｍ−１付近に現れるピークの強度の比は０．０７８であり、該該第３組成物に含まれる脂肪酸エチルエステルの含有量はほぼ１００質量％であった。【０１９２】
［実施例１７（酵素処理、分子蒸留処理及び精密蒸留処理）］
実施例１の酵素処理、実施例９の分子蒸留処理及び実施例１０の精密蒸留処理をそれぞれ、１，０００倍、２，０００倍及び２，０００倍のスケールで行った。その結果、本実施例の酵素処理で得られた第１組成物の成分（低級アルコール脂肪酸エステル化物中の低級アルコール脂肪酸エステルの含有量（質量％）、低級アルコール脂肪酸エステル化物中のＥＰＡＥＥの含有量（モル％）、低級アルコール脂肪酸エステル化物中のＤＨＡＥＥの含有量（モル％）、ＥＰＡＥＥ／ＤＨＡＥＥ（モル比率））、前記反応液（混合物）のＦＴ−ＩＲスペクトル解析における、１７３６ｃｍ−１付近に現れるピークの強度に対する９６６ｃｍ−１付近に現れるピークの強度の比、ならびに酸価は、実施例１で得られた第１組成物と同様であった。【０１９３】
また、本実施例の分子蒸留処理で得られた第２組成物に含まれる低級アルコール脂肪酸エチルエステルの含有量ならびにＥＰＡＥＥ／ＤＨＡＥＥ（モル比率）は、実施例９で得られた第２組成物と同様であった。さらに、本実施例の分子蒸留処理で得られた第２組成物のＦＴ−ＩＲスペクトル解析における、１７３６ｃｍ−１付近に現れるピークの強度に対する９６６ｃｍ−１付近に現れるピークの強度の比、ならびに酸価は、実施例９で得られた第２組成物と同様であった。【０１９４】
さらに、本実施例の精密蒸留処理で得られた第３組成物に含まれるＥＰＡＥＥの割合は、実施例１０で得られた第３組成物と同様であった。さらに、本実施例で得られた精密蒸留処理で得られた第３組成物のＦＴ−ＩＲスペクトル解析における、１７３６ｃｍ−１付近に現れるピークの強度に対する９６６ｃｍ−１付近に現れるピークの強度の比、ならびに酸価は、実施例１０で得られた第３組成物と同様であった。【０１９５】
［実施例１８（食品組成物：クッキー）］
下記配合にてクッキーを調製した。ショートニングおよび実施例９で得られた低級アルコール脂肪酸エステル化物含有組成物を攪拌機（Ｋｉｔｃｈｅｎ  Ａｉｄ社製Ｋｉｔｃｈｅｎ  Ａｉｄ  Ｋ５ＳＳ）に投入し速度調節レバー６で１分間混ぜ合わせてクリーム状にし、粉末全卵、砂糖を加えミキシングを行った。次に、除々に清水を加え比重を０．８ｇ／ｍｌに調整し、予め混合してから篩った小麦粉とベーキングパウダーを加えてから３０秒間攪拌を続けて生地を調製した。得られた生地を冷蔵庫で２時間ねかせた後、厚さ３〜５ｍｍ程度に延ばし、型を抜き、１８０℃のオーブンで１３〜１５分間焼成し、クッキーを得た。【０１９６】
＜配合＞
小麦粉                                                  ２００ｇ
ベーキングパウダー                                          １ｇ
低級アルコール脂肪酸エステル化物含有組成物（実施例９）      １ｇ
ショートニング                                          １２０ｇ
上白糖                                                    ８０ｇ
粉末全卵                                                  １２ｇ
清水                                                      ２４ｇ―――――――――――――――――――――――――――――――――
合計                                                    ４３８ｇ【０１９７】
［実施例１９（ソフトカプセル）］
実施例１０で得られた低級アルコール脂肪酸エステル化物含有組成物を使用して、内容物が下記の配合であるソフトカプセルを製した。【０１９８】
＜配合割合＞
ＥＰＡＥＥ（実施例１０）              ２０％
オリーブ油                          ５０％
ミツロウ                            １０％
中鎖脂肪酸トリグリセリド            １０％
乳化剤                              １０％
―――――――――――――――――――――
合計                              １００％
【要約】低級アルコール脂肪酸エステル化物含有組成物の製造方法は、ＥＰＡ含有グリセリドを含有する原料油脂を、リパーゼを用いて処理して、低級アルコールＥＰＡエステル化物を含む低級アルコール脂肪酸エステル化物含有組成物を得る工程を含み、前記処理の反応液中における水分含量が０．４質量％以上である。【図１】
0005753963.tif 000005